(57)【要約】【課題】相互に異なるＴＴＩを有するチャンネルを多重化して伝送する装置及び方法を提供する。【解決手段】第１のサービス及び第２のサービスを提供する移動通信システムにおいて、第１のサービス及び第２のサービスに対して相互に異なる伝送時間間隔を有する第１のチャンネル及び第２のチャンネルを多重化して複数のシンボルを伝送する方法及び装置であって、該当サービスに対して、伝送時間間隔の単位で第１のサービス及び第２のサービスの符号化を遂行し、各サービスに対して、伝送時間間隔の単位でインターリービングを遂行し、１つのフレームを通して伝送されるシンボルの数を考慮して、第１のサービスのチャンネルインターリービングされたシンボル及び第２のサービスのチャンネルインターリービングされたシンボルを順次に伝送し、第１のサービスのための第１のチャンネル及び第２のサービスのための第２のチャンネルを基本フレームの単位で多重化する。【選択図】図３
2005176365.tif 000002
【特許請求の範囲】
【請求項１】
第１のサービス及び第２のサービスに対して相互に異なる伝送時間間隔を有する第１のチャンネル及び第２のチャンネルを多重化する方法であって、
前記第１のサービスの伝送時間間隔と前記第２のサービスの伝送時間間隔を比較するステップと、
前記比較結果に基づいて、最小伝送時間間隔を前記第１のチャンネル及び第２のチャンネルを多重化するための基本フレームとして設定するステップと、
前記第１のサービス及び前記第２のサービスのシンボルを前記基本フレームに割当て可能な最大シンボル数に従って整合するステップと、
を含むことを特徴とする方法。
【請求項２】
前記整合するステップは、
前記第１のサービスの第１の伝送時間間隔の単位でチャンネルインターリービングを遂行するステップと、
前記第２のサービスのシンボルの数を考慮して、前記第１のサービスに対応するチャンネルインターリービングされたシンボルを前記基本フレームに割当て可能なシンボルの数だけ順次に出力するステップと、を含むことを特徴とする請求項１記載の方法。
【請求項３】
前記整合するステップは、
前記第２のサービスの第２の伝送時間間隔の単位でチャンネルインターリービングを遂行するステップと、
前記第１のサービスのシンボルの数を考慮して、前記第２のサービスに対応するチャンネルインターリービングされたシンボルを前記基本フレームに割当て可能なシンボルの数だけ順次に出力するステップと、を含むことを特徴とする請求項１記載の方法。
【請求項４】
前記基本フレームは、前記第１のサービスに従う伝送時間区間と同一の長さで設定されることを特徴とする請求項３記載の方法。
【請求項５】
第１のサービス及び第２のサービスを提供する移動通信システムにおいて、前記第１のサービス及び前記第２のサービスに対して相互に異なる伝送時間間隔を有する第１のチャンネル及び第２のチャンネルを多重化して複数のシンボルを伝送する装置であって、
前記第１のサービスの伝送時間間隔の単位で前記第１のサービスの符号化を遂行する第１のチャンネル符号化器と、
前記第２のサービスの伝送時間間隔の単位で前記第２のサービスの符号化を遂行する第２のチャンネル符号化器と、
前記第１のサービスの伝送時間間隔の単位でインターリービングを遂行する第１のチャンネルインタリーバと、
前記第２のサービスの伝送時間間隔の単位でインターリービングを遂行する第２のチャンネルインタリーバと、
前記第１のサービスのチャンネルインターリービングされたシンボルを順次に伝送する第１の伝送率整合器と、
前記第２のサービスのチャンネルインターリービングされたシンボルを順次に伝送する第２の伝送率整合器と、
前記第１のサービスのための第１のチャンネル及び前記第２のサービスのための第２のチャンネルを基本フレームの単位で多重化する多重化器とを備え、
前記第１の伝送率整合器及び前記第２の伝送率整合器のうちの少なくとも１つは、１つのフレームを通して伝送可能なシンボルの数を考慮して、前記チャンネルインターリービングされたシンボルを順次に伝送することを特徴とする装置。
【請求項６】
前記第１のチャンネルインタリーバは、前記第１のサービスに対応する第１のチャンネルを第１の伝送時間間隔の単位でチャンネルインターリービングを遂行することを特徴とする請求項５記載の装置。
【請求項７】
前記第１の伝送率整合器は、前記第１のサービスのチャンネルインターリービングされたシンボルをフレーム別に要求されるシンボルの数だけ順次に伝送することを特徴とする請求項６記載の装置。
【請求項８】
前記第２のチャンネルインタリーバは、前記第２のサービスに対応する第２のチャンネルを第２の伝送時間間隔の単位でチャンネルインターリービングを遂行することを特徴とする請求項５記載の装置。
【請求項９】
前記第２の伝送率整合器は、前記第２のサービスに対応するチャンネルインターリービングされたシンボルをフレーム別に要求されるシンボルの数だけ順次に伝送することを特徴とする請求項８記載の装置。
【請求項１０】
前記第１のサービス及び前記第２のサービスを提供する移動通信システムにおいて、１つのフレームを通して前記第１のチャンネル及び前記第２のチャンネルを多重化して伝送するステップをさらに含むことを特徴とする請求項１記載の方法。
【発明の詳細な説明】
【技術分野】
【０００１】
本発明は、移動通信システムでチャンネル符号化された信号の伝送率整合に関し、特に、相互に異なる伝送時間間隔を有するチャンネルを多重化するための伝送率整合方法及び装置に関する。
【背景技術】
【０００２】
一般に、ＩＳＤＮ(Integrated Services Digital Network)システム、デジタルセルラー(Digital Cellular)システム、Ｗ−ＣＤＭＡ(Wideband Code Division Multiple Access)システム、ＣＤＭＡ(Code Division Multiple Access)２０００システムのような無線通信システムでは、伝送データの信頼度を向上させるために使用者データ(source user data)をエラー訂正符号(Error Correction Code)でチャンネル符号化した後に送信する。チャンネル符号化のために使用される典型的な符号には、畳込み符号(Convolution Code)及び単一復号化器が使用される線形ブロック符号がある。最近、このような典型的な符号の以外にもターボ符号(Turbo Code)が幅広く用いられている。
【０００３】
一方、実際の無線フレームで出力されるビット数に符号化されたデータビットをマッチング（整合）させるために、この符号化されたデータビットのうち、この特定のビットに対してパンクチャリング(puncturing)又は反復(repetition)を遂行する。このようなパンクチャリング及び反復を伝送率整合(Rate Matching)と呼ぶ。
【０００４】
図１は、ＵＭＴＳ(Universal Mobile Telecommunication System)の逆方向リンクの送信器の構成を示すブロック図である。
【０００５】
図１を参照すると、伝送しようとするデータは、伝送時間間隔(Transmission Time Interval；以下、ＴＴＩと省略する。)単位でチャンネル符号化器(channel coding)１１０、１１１に入力される。このとき、このＴＴＩは、この伝送しようとするデータのサービス品質情報(Quality of Service；以下、‘ＱｏＳ'と称する。)に従って決定されることができる。すなわち、データの伝送率(data rate)又はＴＴＩは、このＱｏＳに従って設定されることができ、このＴＴＩは、１０ｍｓ、２０ｍｓ、４０ｍｓ、及び８０ｍｓに設定されることができる。チャンネル符号化器１１０、１１１は、フレーム単位のデータを受信して所定の符号化率に従って符号化を遂行した後、符号化されたビットを出力する。無線フレーム等化器(radio frame equalization)１２０、１２１は、この出力された符号化ビットの数と同一のビットの数を有するＦｉ個の連続的な無線フレーム(radio frame)を生成する。この１つのフレームに割当て可能なビットの数は、下記式（１）のように表現される。
【０００６】
［数１］
Ｔｉ＝Ｆｉ× Ｎｉ
Ｎｉ＝ｆｌｏｏｒ{Ｅｉ／Ｆｉ}
・・・（１）
【０００７】
ここで、‘ｉ’は、固有の伝送チャンネル番号を示し、Ｆｉは、ｉ番目の伝送チャンネルで１つのＴＴＩで発生可能な無線フレームの数を示し、Ｎｉは、ｉ番目の伝送チャンネルで１つのＴＴＩで発生した無線フレームに含まれたビットの数を示し、Ｅｉは、ｉ番目の伝送チャンネルで１つのＴＴＩに含まれたビットの数を示す。第１のインタリーバ(1st interleaver)１３０、１３１は、無線フレーム等化器１２０、１２１から出力されたビットをインターリービングし、第１のインタリーバ１３０、１３１の出力は、無線フレーム生成器１４０、１４１に入力される。無線フレーム生成器(radio frame segmentation block)１４０、１４１は、このインターリービングされたビットをこのＦｉ個の無線フレームに割り当てる。このとき、このビットが伝送される伝送チャンネルが１０ｍｓ以上のＴＴＩを有する場合、無線フレーム生成器１４０、１４１は、このＴＴＩに従ってこの無線フレームを分割する。この生成された無線フレームに割り当てられたビットの数がこのＴＴＩの内に割当て可能なビットの数より小さい場合、伝送率整合器(rate matching block)１５０、１５１は、反復を遂行してビットの数が同一になるようにマッチングする。一方、この無線フレームに割り当てられたビットの数がこのＴＴＩの内に割当て可能なビットの数より多い場合、任意のビットをパンクチャリングしてビットの数をマッチングする。すなわち、伝送率整合器１５０、１５１は、１つのＴＴＩに伝送可能なビットの数にパンクチャリング又は反復を遂行する。上述した各構成要素は、点線で示すように、サービス別に備えられることができる。
【０００８】
多重化器(multiplexer)１６０は、サービス別に最終的に伝送率整合がなされた無線フレームを受信して多重化する。そうすると、多重化された無線フレームは、物理チャンネルの処理工程で物理チャンネルを介して伝送される。
【０００９】
図２は、従来技術に従って伝送率整合を遂行する工程を示す図である。図２を参照して、サービスＡ及びサービスＢが１本の伝送チャンネルで多重化される工程を説明する。このとき、サービスＡは、１０ｍｓのＴＴＩでサービスされ、サービスＢは、２０ｍｓのＴＴＩでサービスされると仮定する。例えば、サービスＡが最初の１０ｍｓのＴＴＩの間には１００ビットのデータを伝送し、次の１０ｍｓのＴＴＩの間には伝送されるデータを持たず、サービスＢが２０ｍｓのＴＴＩの間に１９９ビットのデータを伝送する。このとき、この１００ビット及び１９９ビットは、ＴＴＩ別にチャンネル符号化器から出力されたビットの数をカウントして得られる。従って、この１０ｍｓのＴＴＩに基づくサービスＡと２０ｍｓのＴＴＩに基づくサービスＢを多重化して物理チャンネルを介して伝送しようとする場合、１０ｍｓの当たりビットの総数は、１５０ビットである。
【００１０】
上述したように、１０ｍｓのＴＴＩ伝送チャンネル及び２０ｍｓのＴＴＩ伝送チャンネルが多重化される場合、最小ＴＴＩである１０ｍｓが基本フレームの単位として設定されると共に、この２０ｍｓのＴＴＩ伝送チャンネルは、この基本フレームの単位である１０ｍｓ単位で分割され、２回伝送される。すなわち、この２０ｍｓのＴＴＩ伝送チャンネルは、この１０ｍｓＴＴＩ伝送チャンネルと多重化されて伝送される。
【００１１】
まず、一番目の１０ｍｓフレームでサービスＡ及びサービスＢを多重化する方法を説明する。
【００１２】
サービスＡに対して、チャンネル符号化器１１０は、受信された伝送データを所定の符号化率に従って符号化を遂行して無線フレーム等化器１２０に出力する。このとき、無線フレーム等化器１２０は、サービスＡのデータを伝送するための１０ｍｓのＴＴＩとこの設定された基本フレームを比較する。ここで、サービスＡのためのＴＴＩは、この基本フレームの単位、すなわち、１０ｍｓのＴＴＩと同一である。また、１つのＴＴＩに割当て可能なビットの数が１００であるので、追加的なビットの割当て(padding)は遂行されない。第１のインタリーバ１３０は、この１００ビットのデータを受信してインターリービングを遂行する。無線フレーム生成器１４０は、このインターリービングされた１００ビットのデータをこの１０ｍｓのフレームに割り当てる。伝送率整合器１５０は、この１０ｍｓのフレームに割り当てられた１００ビットのデータに対して伝送率整合属性(Rate Matching Attribute；ＲＭＡ)を遂行する。すなわち、伝送率整合器１５０は、伝送される前にサービスＡとサービスＢとが多重化されるので、１つのフレームに割当て可能なビットの総数をマッチングするために、この入力されたデータに対してパンクチャリング及び反復を遂行する。この伝送率整合の動作については、下記にさらに具体的に説明する。
【００１３】
次に、サービスＢに対して、チャンネル符号化器１１１は、２０ｍｓのＴＴＩの間に伝送しようとする１９９ビットのデータを受信して符号化する。無線フレーム等化器１２１は、サービスＢのＴＴＩをこの設定された基本フレームと比較する。このとき、サービスＢのＴＴＩがこの基本フレームと同一ではないので、無線フレーム等化器１２１は、式（１）を考慮して、基本フレームの単位でサービスＢを支援するためのフレームを生成する。すなわち、２０ｍｓのＴＴＩを１０ｍｓの基本フレームに分割する。従って、式（１）に従って、２０ｍｓのＴＴＩに含まれたビットの数Ｅｉは、１９９であり、Ｆｉは、２であり、Ｎｉは、１００である。従って、この基本フレームに１００ビットを同一に含ませるために、無線フレーム等化器１２１は、追加的に１ビットを割り当てる。この１ビットが追加された２００ビットのデータは、第１のインタリーバ１３１に出力される。第１のインタリーバ１３１は、この２００ビットのデータをインターリービングする。無線フレーム生成器１４１は、２０ｍｓのＴＴＩを１００ビットの基本フレーム単位、すなわち、１０ｍｓ単位で無線フレームを生成し、この２００ビットのデータを順次に割り当てる。伝送率整合器１５１は、この１０ｍｓの基本フレームの単位で入力される１００ビットのデータに対してＲＭＡを用いてパンクチャリング及び反復を遂行する。すなわち、伝送率整合器１５１は、伝送される前にサービスＡとサービスＢは多重化されるので、１つのフレームに割当て可能なビットの総数をマッチングするために、この入力されたデータに対してパンクチャリング及び反復を遂行する。
【００１４】
すなわち、伝送率整合器１５０及び伝送率整合器１５１から出力されたビットの総数は、２００ビットである。しかしながら、１０ｍｓの基本フレームに伝送されなければならないビットの総数は、１５０ビットである。従って、伝送率整合器１５０及び１５１は、２５ビットのパンクチャリングを遂行しなければならない。すなわち、伝送率整合器１５０は、サービスＡに対する１００ビットのデータのうちで２５ビットをパンクチャリングして多重化器１６０に出力し、伝送率整合器１５１は、サービスＢに対する一番目の無線フレーム１００ビットのデータのうちで２５ビットをパンクチャリングして多重化器１６０に出力する。
【００１５】
従って、多重化器１６０は、サービスＡに対する７５ビットのデータとサービスＢに対する一番目の無線フレームの７５ビットを受信して１０ｍｓの基本フレームの間に１５０ビットのデータを多重化し、設定された物理チャンネルを介して伝送する。
【００１６】
次に、二番目の１０ｍｓのフレームでサービスＡとサービスＢを多重化する方法について説明する。
【００１７】
まず、サービスＡに対して、二番目の１０ｍｓのＴＴＩの間には、入力データが存在しないので、チャンネル符号化器１１０から伝送率整合器１５０は、この二番目の１０ｍｓのＴＴＩの間には何の動作も遂行しない。
【００１８】
しかしながら、サービスＢに対して、チャンネル符号化器１１１から無線フレーム生成器１４１は、この一番目のフレームで動作したものと同一の信号処理工程を遂行する。
【００１９】
伝送率整合器１５１は、この二番目の１０ｍｓフレームで１００ビットに対する伝送率整合を遂行する。このとき、１０ｍｓの基本フレームの間に入力されたビットの総数が１００ビットであり、１０ｍｓの物理チャンネルを介して伝送されなければならないビットの総数が１５０ビットであるので、伝送率整合器１５１は、ＲＭＡに従って５０ビットを反復し、１５０ビットのデータを出力する。
【００２０】
すなわち、二番目の１０ｍｓのＴＴＩの間に、多重化器１６０は、サービスＡに対して０ビットのデータを出力し、サービスＢに対して１５０ビットのデータを出力する。
【００２１】
上述したように、相互に異なるＴＴＩを有する複数の伝送チャンネルを多重化する場合、最小単位のＴＴＩを基本フレームの単位として設定すると共に、基本フレームの単位より長いＴＴＩを有する伝送チャンネルの場合、基本フレームの単位でデータシーケンスを分割する。このとき、分割された無線フレームは、ビット追加(padding)工程を通して同一のビット数を有するように調節される。このように分割された無線フレームは、順次に伝送率整合が遂行される。しかしながら、上述した伝送率整合を遂行する方式には、次のような問題点がある。
【００２２】
図２を参照すると、サービスＡは、総計２０ｍｓの間に１００ビットのデータのうち、７５(＝１００−２５＋０)ビットのみを伝送し、サービスＢは、２０ｍｓの間に１９９ビットのデータのうち、１７４(＝７５＋９９)ビットのみを伝送する。すなわち、サービスＢの場合には、無線フレーム等化器１２１が追加した１ビットのデータと二番目の１０ｍｓのＴＴＩの間に任意に反復された５０ビットのデータとを追加的に伝送しなければならない。
【００２３】
従って、サービスＡ及びサービスＢに対して、総計２０ｍｓの間に５０ビットのデータをパンクチャリングし、５１ビットのデータを不必要に反復して伝送する。
【００２４】
一般に、移動通信システムでは、可能な限りの多くの情報ビットを受信し、復号を遂行してシステムの性能が格段に向上することは公知の事実である。しかしながら、従来の伝送率整合方法は、不必要に多くの情報ビットをパンクチャリングし、不要な付加ビットを割り当てる。すなわち、有効なデータをパンクチャリングし、同一のデータを繰り返して伝送することによって、システムの性能を劣化させる問題点があった。
【発明の開示】
【発明が解決しようとする課題】
【００２５】
上記背景に鑑みて、本発明の目的は、相互に異なるＴＴＩを有するチャンネルを多重化して伝送する装置及び方法を提供することにある。
【００２６】
本発明の他の目的は、移動通信システムで、所定の帯域幅を用いて相互に異なるＴＴＩを有するサービスを支援する伝送率整合装置及び方法を提供することにある。
【課題を解決するための手段】
【００２７】
このような目的を達成するために、本発明の実施形態は、第１のサービス及び第２のサービスに対して相互に異なる伝送時間間隔を有する第１のチャンネル及び第２のチャンネルを多重化する方法であって、この第１のサービスの伝送時間間隔とこの第２のサービスの伝送時間間隔を比較するステップと、この比較結果に基づいて、最小伝送時間間隔をこの第１のチャンネル及び第２のチャンネルを多重化するための基本フレームとして設定するステップと、この第１のサービス及びこの第２のサービスのシンボルをこの基本フレームに割当て可能な最大シンボル数に従ってマッチングするステップと、を含むことを特徴とする。
【００２８】
また、本発明の実施形態は、第１のサービス及び第２のサービスを提供する移動通信システムにおいて、この第１のサービス及びこの第２のサービスに対して相互に異なる伝送時間間隔を有する第１のチャンネル及び第２のチャンネルを多重化して複数のシンボルを伝送する装置であって、この第１のサービスの伝送時間間隔の単位でこの第１のサービスの符号化を遂行する第１のチャンネル符号化器と、この第２のサービスの伝送時間間隔の単位でこの第２のサービスの符号化を遂行する第２のチャンネル符号化器と、この第１のサービスの伝送時間間隔の単位でインターリービングを遂行する第１のチャンネルインタリーバと、この第２のサービスの伝送時間間隔の単位でインターリービングを遂行する第２のチャンネルインタリーバと、この第１のサービスのチャンネルインターリービングされたシンボルを順次に伝送する第１の伝送率整合器と、この第２のサービスのチャンネルインターリービングされたシンボルを順次に伝送する第２の伝送率整合器と、この第１のサービスのための第１のチャンネル及びこの第２のサービスのための第２のチャンネルを基本フレームの単位で多重化する多重化器とを備え、この第１の伝送率整合器及びこの第２の伝送率整合器のうちの少なくとも１つは、１つのフレームを通して伝送可能なシンボルの数を考慮して、このチャンネルインターリービングされたシンボルを順次に伝送することを特徴とする。
【発明の効果】
【００２９】
本発明は、相互に異なるＴＴＩを有するチャンネルを多重化する場合、このＴＴＩ単位で伝送率整合を遂行することによって、パンクチャリング又は反復されるシンボルがＴＴＩの内に均一に分布される。従って、チャンネル復号化の性能を向上させることができる。また、向上したチャンネル復号化の性能は、同一のＱｏＳを達成するために要求される送信電力を減少させることによって、移動通信システムの性能を向上させることができる。
【発明を実施するための最良の形態】
【００３０】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００３１】
高速のマルチメディアサービスを支援する３世代の移動通信システムは、相互に異なる伝送時間間隔(Transmission Time Interval；ＴＴＩ)を有するチャンネルを多重化して１本の物理チャンネルを介して伝送する方式を使用する。このとき、このＴＴＩは、チャンネル符号化又はチャンネルインターリービング単位に該当し、これは、データの伝送単位であるフレームの整数倍に該当する。
【００３２】
従って、本発明の実施形態は、移動通信システムで相互に異なるＴＴＩを有するチャンネルを多重化して伝送するためのさらに効率的な伝送率整合(Rate Matching)装置及び方法を提案する。すなわち、本発明の実施形態は、相互に異なるＴＴＩを有する数本の伝送チャンネルが多重化されて伝送される場合に、さらに効率的に伝送率整合を遂行し、これによって、受信器でのチャンネルの復号化の性能を最適化させることができる。
【００３３】
図３は、本発明の実施形態による移動通信システムでの逆方向リンクの送信器の構成を概略的に示すブロック図である。図４は、本発明の実施形態によるフレーム単位で伝送率整合を遂行するプロセスを示す図である。
【００３４】
図３及び図４を参照して、本発明の実施形態によるサービスＡとサービスＢが１本の伝送チャンネルで多重化されるプロセスについて説明する。このとき、サービスＡは、１０ｍｓのＴＴＩで提供され、サービスＢは、２０ｍｓのＴＴＩで提供されると仮定する。また、サービスＡは、最初の１０ｍｓのＴＴＩの間には１００ビットのデータを伝送し、次の１０ｍｓのＴＴＩの間にはデータを持たず、サービスＢは、２０ｍｓのＴＴＩの間には、１９９ビットのデータを伝送すると仮定する。このとき、この１００ビット及び１９９ビットは、ＴＴＩ別に該当チャンネル符号化器から出力されたビットの数をカウントすることによって得られる。また、１０ｍｓのＴＴＩ単位のサービスＡ及び２０ｍｓのＴＴＩ単位のサービスＢを多重化して物理チャンネルを介して伝送しようとするビットの総数は、１０ｍｓの当たり１５０ビットであると仮定する。
【００３５】
上述したように、１０ｍｓのＴＴＩの伝送チャンネルと２０ｍｓのＴＴＩの伝送チャンネルが多重化される場合、最小ＴＴＩである１０ｍｓの伝送チャンネルは、基本フレームの単位で設定され、この２０ｍｓのＴＴＩ伝送チャンネルは、この基本フレームの単位である１０ｍｓで分割され、この１０ｍｓのＴＴＩの伝送チャンネルと多重化される。
【００３６】
第１の実施形態
まず、一番目の１０ｍｓのＴＴＩでサービスＡ及びサービスＢを多重化する方法について説明する。
【００３７】
サービスＡに対して、チャンネル符号化器３１０は、１００ビットのデータを受信して符号化した後、第１のインタリーバ３２０に出力する。第１のインタリーバ３２０は、この１００ビットのデータをインターリービングする。無線フレーム生成器３３０は、この１０ｍｓのＴＴＩの間に１００ビットのデータを伝送するために、この設定された基本フレームの単位で無線フレームを生成する。このとき、サービスＡのＴＴＩは、この１０ｍｓの基本フレームの単位と同一であるので、無線フレーム生成器３３０は、別途の動作を遂行せず、このインターリービングされた１００ビットのデータを伝送率整合器３４０に出力する。伝送率整合器３４０は、この基本フレームの単位で入力される１００ビットのデータを伝送率整合属性(Rate Matching Attribute；ＲＭＡ)を用いてパンクチャリング及び反復を遂行する。この伝送率整合の動作については、下記でさらに具体的に説明する。
【００３８】
サービスＢに対して、チャンネル符号化器３１１は、２０ｍｓのＴＴＩの間に伝送しようとするこの１９９ビットのデータを符号化する。第１のインタリーバ３２１は、この１９９ビットのデータをインターリービングする。無線フレーム生成器３３１は、この２０ｍｓのＴＴＩを１０ｍｓの基本フレームの単位に分割する。すなわち、無線フレーム生成器３３１は、２個の１０ｍｓの単位で無線フレームを生成してこの１９９ビットのデータを順次に出力する。このサービスＢの２０ｍｓのＴＴＩに含まれたビット数Ｅｉは１９９であり、２０ｍｓのＴＴＩを１０ｍｓの基本フレーム単位に分割する場合、Ｆｉは２になる。Ｎｉは、本発明の実施形態で提案する方法に従って決定され、分割された２個の無線フレームに含まれるビットの数Ｎｉは、無線フレームに従って異なることができる。伝送率整合器３４１は、順次に入力されるこの無線フレームに対して、ＲＭＡを用いてパンクチャリング及び反復を遂行する。以下、本発明の実施形態による無線フレーム生成器３３０、３３１と伝送率整合器３４０、３４１の動作について詳細に説明する。
【００３９】
一番目の１０ｍｓの間に、サービスＡに対して、無線フレーム生成器３３０は、サービスＡのＴＴＩが基本フレームの単位と同一であるので、別途の動作を遂行せず、受信した１００ビットのデータを伝送率整合器３４０に出力する。伝送率整合器３４０は、この１００ビットのデータを受信する。
【００４０】
一番目の１０ｍｓの間に、サービスＢに対して、第１のインタリーバ３２１を通して２０ｍｓ単位でインターリービングされた１９９ビットのデータは、無線フレーム生成器３３１に出力される。無線フレーム生成器３３１は、このインターリービングされた１９９ビットのデータを１０ｍｓの基本フレームの単位に分割する。
【００４１】
このとき、無線フレーム生成器３３１は、一番目の１０ｍｓの間に、サービスＢに対して出力されるビットの数を決定するために、この式（１）のＮｉ＝ｆｌｏｏｒ{Ｅｉ／Ｆｉ}に従って、この１９９ビットをＮｉ＝ｆｌｏｏｒ{１９９／２}の大きさに分割した場合、伝送率整合の結果を推定する。すなわち、伝送率整合器３４０の出力ビットと伝送率整合器３４１の出力ビットとの和は、１５０ビットでなければならない。従って、伝送率整合器３４０及び伝送率整合器３４１は、それぞれ２５ビットずつをパンクチャリングしなければならない。この判断の結果に基づいて、無線フレーム生成器３３１は、一番目の１０ｍｓの間、伝送率整合のために伝送率整合器３４１に７５ビットのみを出力する。
【００４２】
すなわち、サービスＡの伝送率整合器３４０は、１００ビットのデータのうち２５ビットをパンクチャリングし、サービスＢの伝送率整合器３４１は、別途の動作を遂行せず、入力された７５ビットをそのまま出力する。
【００４３】
しかしながら、二番目の１０ｍｓフレームで、サービスＡには、データが存在しないので、チャンネル符号化器３１０から伝送率整合器３４０は動作しない。すなわち、伝送率整合器３４０は、０ビットのデータを受信して０ビットのデータを出力する。
【００４４】
一方、二番目の１０ｍｓの間に、サービスＢに対して、無線フレーム生成器３３１は、伝送率整合器３４１に残りの１２４ビットを出力する。この場合、伝送率整合器３４０には０ビットが入力され、伝送率整合器３４１には１２４ビットが入力され、これによって、１本の物理チャンネルに割り当てられたビットの総数は、１２４ビットである。しかしながら、伝送率整合器３４０及び３４１から出力されなければならないビットの総数は１５０ビットであるので、このサービスＡに従う伝送率整合器３４０は、０ビットを出力し、サービスＢに従う伝送率整合器３４１は、受信した１２４ビットのうち２６ビットを反復して総計１５０個のビットを出力する。
【００４５】
上述したように、本発明の実施形態によると、１つの基本フレームに割当て可能なビットの数を考慮してこの各サービスに対するデータをパンクチャリングして不必要なパンクチャリングを防止し、また、このパンクチャリングに関連した意味ないデータの反復を防止することができる。
【００４６】
第２の実施形態
本発明の他の実施形態について説明する。無線フレーム生成器３３１は、一番目の１０ｍｓの間に、サービスＢに対して出力されるビットの数を決定するために、式（１）のＮｉ＝ｆｌｏｏｒ{Ｅｉ／Ｆｉ}に従って、この１９９ビットをＮｉ＝ｆｌｏｏｒ{１９９／２}の大きさに分割する。すなわち、伝送率整合器３４０に１００ビットが入力され、伝送率整合器３４１に１００ビットが入力されて、総計２００ビットが伝送率整合器３４０及び３４１に入力され、このとき、この出力されるべきビットの総数が１５０ビットであるので、伝送率整合器３４０及び伝送率整合器３４１は、それぞれ２５ビットずつをパンクチャリングしなければならない。このとき、伝送率整合器３４０は、２５ビットをパンクチャリングして７５ビットを出力し、伝送率整合器３４１は、１００ビットのシーケンスのうち１番目から７５番目の７５ビットのみを出力し、７６番目から１００番目の残りの２５ビットは出力しない。すなわち、伝送率整合器３４１は、従来の１００ビットのうち任意の２５ビットをパンクチャリングする代わりに、最初の７５番目のシンボルまでを出力する。このような動作を“ＴＴＩ短縮(shortening)”と呼ぶ。
【００４７】
次に、二番目の１０ｍｓフレームの間に、サービスＡには、データが存在しないので、チャンネル符号化器３１０から伝送率整合器３４０は動作しない。すなわち、伝送率整合器３４０は、０ビットのデータを受信して０ビットのデータを出力する。
【００４８】
二番目の１０ｍｓフレームの間に、サービスＢに対して、第１のインタリーバ３２１を通して２０ｍｓ単位でインターリービングされた１９９ビットは、無線フレーム生成器３３１に出力される。無線フレーム生成器３３１は、このインターリービングされた１９９ビットを分割する。
【００４９】
このとき、一番目の１０ｍｓの間に、サービスＢに対して、無線フレーム生成器３３１が１００ビットを出力したので、無線フレーム生成器３３１は、二番目の１０ｍｓの間に、サービスＢに対して、伝送率整合器３４１に残りの９９ビットを出力する。この場合、伝送率整合器３４０には、０ビットが入力され、伝送率整合器３４１には、総計１２４ビットが入力されたとみなされる。また、伝送率整合器から出力されなければならないビットの総数が１５０ビットであるので、伝送率整合器３４０は、０ビットを出力し、伝送率整合器３４１は、受信した１２４ビットのうち２６ビットを反復して、総計１５０個のビットを出力する。すなわち、伝送率整合器３４１は、このＲＭＡを考慮して、各フレームで伝送するビットを順次にアクセスして、この１９９ビットのうち、以前の１０ｍｓの間に伝送された残りのビットに後続する７６番目のビットから１９８番目のビット、すなわち、総計１２４ビットに対して伝送率整合を遂行する。２０ｍｓのＴＴＩの間に、１９９ビットを伝送するサービスＢの場合、伝送率整合器３４１は、以前の１０ｍｓのＴＴＩの間に伝送されたビットに後続するデータビットの伝送率整合を遂行する。このような動作を“ＴＴＩ拡張(extending)”と呼ぶ。
【００５０】
参考のために、伝送率整合のときに反復を遂行すべき場合、本発明の実施形態は、２０ｍｓのＴＴＩでの総計１９９ビットのうち、１番目から２６番目の２６ビットに対して反復を遂行することによって伝送率整合を遂行する方法も提案する。
【００５１】
上述したように、相互に異なるＴＴＩを有するチャンネルに対して、チャンネル符号化器は、該当サービスのＴＴＩに従って符号化を遂行してチャンネルインタリーバに符号化されたシンボルを伝達する。このとき、このチャンネルインタリーバは、この該当サービスのＴＴＩに従ってインターリービングを遂行する。従って、この伝送率整合器は、所定のフレームを通して伝送可能なシンボルの数を考慮して、このインターリービングされたシンボルを順次に伝送する。すなわち、この伝送率整合器は、このＲＭＡを通じて伝送可能なビットの数に従って、このインターリービングされたシンボルを順次的に且つ循環的に出力する。
【００５２】
すなわち、本発明の実施形態は、このＴＴＩに従って、チャンネルインターリービングを通じたチャンネル符号化されたシンボルをフレーム別に要求されるシンボルの数だけ順次に伝送する方法を提案する。従って、このＴＴＩの終了時点で、チャンネル符号化器を通して出力されるシンボルの数が多いかまたは少ないかを確認して、従来技術で発生する可能性がある不必要なパンクチャリング又は反復を最小化し、これによって、チャンネル復号化の性能を向上させることができる。
【００５３】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００５４】
【図１】移動通信システムにおける逆方向リンクの送信器の構成を概略的に示すブロック図である。
【図２】従来技術によるフレーム単位で伝送率整合を遂行する工程を示す図である。
【図３】本発明の実施形態による移動通信システムにおける逆方向リンクの送信器の構成を概略的に示すブロック図である。
【図４】本発明の実施形態によるフレーム単位で伝送率整合を遂行する工程を示す図である。
【符号の説明】
【００５５】
１１０，１１１    チャンネル符号化器(channel coding)
１２０，１２１    無線フレーム等化器(radio frame equalization)
１３０，１３１    第１のインタリーバ(1st interleaver)
１４０，１４１    無線フレーム生成器
１５０，１５１    伝送率整合器(rate matching block)
１６０    多重化器(multiplexer)
３１０，３１１    チャンネル符号化器
３２０，３２１    第１のインタリーバ
３３０，３３１    無線フレーム生成器
３４０，３４１    伝送率整合器
３５０    多重化器
【図１】
2005176365.tif 000003
【図２】
2005176365.tif 000004
【図３】
2005176365.tif 000005
【図４】
2005176365.tif 000006
【外国語明細書】
2005176365.tif 000007
2005176365.tif 000008
2005176365.tif 000009
2005176365.tif 000010
2005176365.tif 000011
2005176365.tif 000012
2005176365.tif 000013
2005176365.tif 000014
2005176365.tif 000015
2005176365.tif 000016
2005176365.tif 000017
2005176365.tif 000018
2005176365.tif 000019
2005176365.tif 000020
2005176365.tif 000021
2005176365.tif 000022
2005176365.tif 000023
2005176365.tif 000024
2005176365.tif 000025
2005176365.tif 000026
2005176365.tif 000027
2005176365.tif 000028
2005176365.tif 000029